(57)【要約】【課題】フリッカの発生する撮影環境下においても、膨大な処理量および記憶容量を伴うことなく、フリッカにより画質の低下した画像が記録される不都合の発生を防止することができるカメラを提供することを目的とする。【解決手段】被写体の像を撮影する撮像部と、該撮像部により撮影しようとする像の露出値を検出する露出検出部と、該露出検出部により検出された露出値に基づいて、該露出値の周期的な変動を検出する露出変動検出部と、これらを制御する制御部とを備え、該制御部が、前記露出検出部により検出された露出値と前記露出変動検出部により検出された露出値の周期的な変動とに基づいて、撮影環境におけるフリッカにより露出値が所定の閾値よりも小さくなる低露出周期を検出し、該低露出周期における撮影を停止するよう前記撮像部を制御するカメラを採用する。【選択図】図３
2009100275.tif 000002
【特許請求の範囲】
【請求項１】
被写体の像を撮影する撮像部と、
該撮像部により撮影しようとする像の露出値を検出する露出検出部と、
該露出検出部により検出された露出値に基づいて、該露出値の周期的な変動を検出する露出変動検出部と、
これらを制御する制御部とを備え、
該制御部が、前記露出検出部により検出された露出値と前記露出変動検出部により検出された露出値の周期的な変動とに基づいて、撮影環境におけるフリッカにより露出値が所定の閾値よりも小さくなる低露出周期を検出し、該低露出周期における撮影を停止するよう前記撮像部を制御するカメラ。
【請求項２】
前記露出検出部により検出された露出値が、前記撮像部により実際に取得された画像の平均輝度値であり、
前記露出変動検出部が、前記撮像部により取得された複数枚の画像の平均輝度値に基づいて、該平均輝度値の周期的な変動を検出する請求項１に記載のカメラ。
【発明の詳細な説明】
【技術分野】
【０００１】
本発明は、撮影画像の選別を行うカメラに関するものである。
【背景技術】
【０００２】
従来、静止画像の撮影において、例えば、蛍光灯のフリッカに伴う照度の変動によって、静止画像の画質が変動することを抑圧する技術が知られている（例えば、特許文献１参照。）。この技術は、動画像における照度の変動から静止画像の画質の変動を予測し、その予測結果に基づいてゲインを制御するものである。
【特許文献１】特開２００６−５００３１号公報
【発明の開示】
【発明が解決しようとする課題】
【０００３】
しかしながら、上記技術において、高速連写を行う場合には、大量の画像に対して画質の変動を予測して、露出調整時または画像処理時にゲインを乗じることとなり、処理部及びメモリへの負担が大きくなるという不都合がある。
【０００４】
本発明は、上記事情に鑑みてなされたもので、フリッカの発生する撮影環境下においても、膨大な処理量および記憶容量を伴うことなく、フリッカにより画質の低下した画像が記録される不都合の発生を防止することができるカメラを提供することを目的とする。
【課題を解決するための手段】
【０００５】
上記課題を解決するために、本発明は以下の手段を採用する。
本発明は、被写体の像を撮影する撮像部と、該撮像部により撮影しようとする像の露出値を検出する露出検出部と、該露出検出部により検出された露出値に基づいて、該露出値の周期的な変動を検出する露出変動検出部と、これらを制御する制御部とを備え、該制御部が、前記露出検出部により検出された露出値と前記露出変動検出部により検出された露出値の周期的な変動とに基づいて、撮影環境におけるフリッカにより露出値が所定の閾値よりも小さくなる低露出周期を検出し、該低露出周期における撮影を停止するよう前記撮像部を制御するカメラを採用する。
【０００６】
本発明によれば、フリッカにより被写体の像の露出値が周期的に変動する場合、例えば、蛍光灯の下で撮影する場合に、露出変動検出部によりその周期的な変動を検出することにより、被写体の像の露出値が所定の閾値よりも小さくなる低露出周期を特定することが可能となる。そして、制御部が、低露出周期における撮影を停止するように撮像部を制御することにより、フリッカの影響によって所定の露出を有しない画像の取得を防止することができる。その結果、大量の画像に対して露出を回復するための膨大な演算を行うことなく、フリッカの影響を受けずに所望の露出を有する画像のみを取得することができ、処理量の削減および記憶容量の削減を図ることができる。
【０００７】
また、上記発明において、前記露出検出部により検出された露出値が、前記撮像部により実際に取得された画像の平均輝度値であり、前記露出変動検出部が、前記撮像部により取得された複数枚の画像の平均輝度値に基づいて、該平均輝度値の周期的な変動を検出することとしてもよい。
このようにすることで、フリッカの検出精度を向上させることができ、より容易に所定の露出を有する画像を選別することが可能となる。
【発明の効果】
【０００８】
本発明によれば、フリッカの発生する撮影環境下においても、膨大な処理量および記憶容量を伴うことなく、フリッカにより画質の低下した画像が記録される不都合の発生を防止することができるという効果を奏する。
【発明を実施するための最良の形態】
【０００９】
〔第１の実施形態〕 
以下に、本発明の第１の実施形態に係るカメラについて、図面を参照して説明する。
図１および図２に示すように、本実施形態に係るカメラ１は、略直方体形状に形成されたカメラ本体３と、カメラ本体３の前面に設けられ、被写体の像を撮影する撮像装置５と、カメラ本体３の上面に設けられ、撮像装置５の操作を行うシャッタ操作部７と、例えば、背面液晶等の表示デバイスである表示部１０９とを備えている。
【００１０】
カメラ本体３は、図３に示すように、撮像装置５により取得される画像の露出を調節する露出調節部６と、撮像装置５により取得された画像を処理する画像処理装置１０と、画像処理装置１０により画像処理された画像を記録する記録メディア等である外部メモリ１１２と、これらを制御する制御部４とを備えている。
【００１１】
撮像装置５は、レンズ等の光学系１２０と、ＣＣＤ等の撮像部１０７とを備えており、撮像部１０７は、光学系１２０によって取得された画像にＡＤ変換を施し、ＳＤＲＡＭ１１０に出力するようになっている。
【００１２】
露出調節部６は、被写体の明るさを検知するＡＥセンサー１２１と、ＡＥセンサー１２１から明るさ情報を受け取り、露出設定値を決定するＡＥ部１０６とを備えている。ＡＥ部１０６は、決定した露出設定値を制御部４に出力するようになっている。なお、ＡＥ部１０６の詳細な機能については後述する。
【００１３】
シャッタ操作部７は、カメラ本体３の上端面に対して垂直方向に押し込み可能なシャッタボタン１２３と、シャッタボタン１２３が所定量押し込まれたことを判定するシャッタボタン判定部１０１とを備えている。シャッタボタン判定部１０１は、シャッタボタン１２３が所定量押し込まれたことを、制御部４に出力するようになっている。なお、シャッタボタン判定部１０１は、シャッタボタン１２３が所定量押し込まれている間には、制御部４への出力を継続するようになっている。
【００１４】
制御部４は、シャッタボタン判定部１０１からの情報に基づいて撮像装置５と露出調節部６とを制御するようになっている。具体的には、まず、シャッタボタン１２３が所定量押し込まれたことが、シャッタボタン判定部１０１より入力されると、制御部４は、露出調節部６に対して、適正露出となるように露出設定値の変更を指示するようになっている。また、シャッタボタン１２３が更に所定量押し込まれたことが、シャッタボタン判定部１０１より入力されると、制御部４は、撮像装置５に対して、露出調節部６により決定された露出設定値にて画像の取得を指示するようになっている。さらに、シャッタボタン１２３が所定量押し込まれていることが、シャッタボタン判定部１０１より継続して入力されると、撮像装置５に対して、露出調節部６により決定された露出設定値にて画像の取得を指示するとともに、撮像装置５を連写撮影状態に維持するようになっている。
【００１５】
画像処理装置１０は、撮像部１０７より入力された画像を一時保存するＳＤＲＡＭ１１０と、ＳＤＲＡＭ１１０に一時保存された画像を読み出して画像処理を施す画像処理部１０８とを備えている。
ＳＤＲＡＭ１１０には、露出調節部６の動作により、適正露出とされた画像が撮像部１０７より入力され、ＳＤＲＡＭ１１０は、これらの画像を一時保存するようになっている。
画像処理部１０８は、ＳＤＲＡＭ１１０に一時保存された画像を読み出し、三板化や補正などの画像処理を施し、画像処理が行われた画像を外部メモリ１１２に出力するようになっている。
【００１６】
外部メモリ１１２は、画像処理部１０８により画像処理された画像を記録するようになっている。
表示部１０９は、外部メモリ１１２に記録された画像を読み出し、フォーマット変換を行うことによりユーザに目視可能に表示するようになっている。
【００１７】
以下に、ＡＥ部１０６の詳細な機能について図４を参照して説明する。
図４に示すように、ＡＥ部１０６は、撮像装置５により撮影しようとする像の露出値を検出する露出検出部２０１と、露出検出部２０１により検出された露出値に基づいて、該露出値の周期的な変動を検出する露出変動検出部２０４と、露出検出部２０１により検出された露出値と予め設定された所定の閾値Ｔとを比較する露出比較部２０２と、露出比較部２０２の比較結果と露出変動検出部２０４により検出された露出値の周期的な変動とに基づいて露出設定値を決定するＡＥ設定値制御部２０３とを備えている。
【００１８】
ＡＥ設定値制御部２０３は、露出比較部２０２の比較結果と露出変動検出部２０４により検出された露出値の周期的な変動とに基づいて、撮影環境におけるフリッカにより露出値が所定の閾値Ｔよりも小さくなる低露出周期を検出し、該低露出周期における撮影を停止させるように制御部４を介して撮像装置５を制御するようになっている。具体的には、例えば、ＡＥ部１０６から露出設定値が出力されない場合には撮影を行わないように撮像装置５を構成するとともに、低露出周期においては露出設定値を撮像装置５に出力しないようにＡＥ設定値制御部２０３を構成する。
【００１９】
このように構成された本実施形態に係るカメラの作用について、具体的な例を挙げて以下に説明する。
本実施形態に係るカメラ１が起動されると、光学系１２０によって取得された被写体からの光は、撮像部１０７の撮像面に結像される。そして、ユーザによってシャッタボタン１２３が所定量押し込まれると、シャッタボタン判定部１０１は当該情報を制御部４に出力し、制御部４はＡＥ部１０６に露出調節指示を出力する。
【００２０】
ＡＥ部１０６は、制御部４からの露出調節指示が入力されることにより、ＡＥセンサー１２１からの被写体の明るさ情報に基づいて露出設定値を決定する。該露出設定値は制御部４を介して撮像装置５に出力され、撮像装置５は、制御部４により取得する画像が適正露出となるように制御される。
【００２１】
この際、露出検出部２０１は、撮影しようとする像の露出値を検出し、露出変動検出部２０４は、該露出値の周期的な変動を検出する。このように露出変動検出部２０４により検出された露出値の周期的な変動が、図５に示す曲線Ｘである。露出変動検出部２０４は、シャッタ開始直前まで露出値の周期的な変動を検出し、シャッタ開始から何枚目がフリッカの影響により暗い画像となるかを判定する。
【００２２】
つまり、図５の例において、シャッタの開始が９枚目に行われる場合、露出変動検出部２０４は、シャッタを開始する９枚目まで露出値の周期的な変動を検出する。そして、１周期の中に５枚（４枚目から８枚目）の撮影を想定し、シャッタ開始から５枚目が低露出周期、すなわち、フリッカ周期になると判定する。したがって、シャッタ開始時からの撮影枚数をｉとすると、ｉ＝５ｋ（ｋ＝１，２，３，・・・）枚目の画像が、フリッカの影響により暗い画像であると判定する。
【００２３】
ここで、露出比較部２０２に予め設定される所定の閾値Ｔが、図５に示す明るさのレベルであった場合には、ＡＥ設定値制御部２０３は、ｉ＝５ｋ（ｋ＝１，２，３，・・・）となる低露出周期においては露出設定値を制御部４に出力しない。これにより、低露出周期において撮像装置５は、制御部４により被写体の像を取得しないように制御される。
【００２４】
このように制御された撮像装置５により低露出周期以外のタイミングにおける被写体の像は、ユーザによってシャッタボタン１２３が更に所定量押し込まれると、制御部４からの指示により撮像部１０７によって画像データとして取得され、ＳＤＲＡＭ１１０に出力されて一時保存される。
また、継続してシャッタボタン１２３が所定量押し込まれている場合、撮像装置５により連写撮影が行われ、低露出周期以外のタイミングで取得された複数の画像データがＳＤＲＡＭ１１０に一時保存される。
【００２５】
ＳＤＲＡＭ１１０に一時保存された画像データは、画像処理部１０８により画像処理が施され、画像処理が行われた画像データは外部メモリ１１２に出力されて記録される。
このように外部メモリ１１２に記録された画像が、表示部１０９により読み出され、ユーザに対して目視可能に表示される。
【００２６】
以上説明したように、本実施形態に係るカメラによれば、フリッカにより被写体の像の露出値が周期的に変動する場合、例えば、蛍光灯の下で撮影する場合に、露出変動検出部２０４によりその周期的な変動を検出することにより、被写体の像の露出値が所定の閾値Ｔよりも小さくなる低露出周期を特定することが可能となる。そして、制御部４が、低露出周期における撮影を停止するように撮像部１０７を制御することにより、フリッカの影響によって所定の露出を有しない画像の取得を防止することができる。その結果、大量の画像に対して露出を回復するための膨大な演算を行うことなく、フリッカの影響を受けずに所望の露出を有する画像のみを取得することができ、処理量の削減および記憶容量の削減を図ることができる。
【００２７】
なお、本実施形態では、ハードウェアによる処理を前提としていたが、このような構成に限定されるものではない。例えば、別途ソフトウェアにて処理する構成も可能である。この場合、ＣＰＵ、ＲＡＭ等の主記憶装置、上記処理の全て或いは一部を実現させるためのプログラムが記録されたコンピュータ読み取り可能な記録媒体を備えていればよい。そして、ＣＰＵが上記記憶媒体に記録されているプログラムを読み出して、情報の加工・演算処理を実行することにより、上述のカメラと同様の処理を実現させることができる。ここでコンピュータ読み取り可能な記録媒体とは、磁気ディスク、光磁気ディスク、ＣＤ−ＲＯＭ、ＤＶＤ−ＲＯＭ、半導体メモリ等をいう。
【００２８】
上記のソフトウェアによる具体的な処理について、図６に示すフローチャートに基づいて以下に説明する。
連写モードとされ、フレームレートが設定されると（Ｓ１）、フリッカ周期の検出が行われる（Ｓ２）。
次に、ユーザによってシャッタボタンが押されると（Ｓ３）、撮影枚数ｉおよびフリッカ周期ｋのカウントがリセットされる（Ｓ４）。そして、撮影枚数毎に撮影枚数ｉのカウントが行われるとともに（Ｓ５）、ＡＥセンサーから明るさ情報が取得される（Ｓ６）。
【００２９】
次に、取得された明るさ情報よりＡＥ評価、すなわち、ＡＥセンサーにより検知された明るさＬが予め設定された所定の閾値Ｔよりも小さいか否かの判定が行われる（Ｓ７）。
Ｓ７において明るさＬが所定の閾値Ｔよりも小さい場合には、フリッカ周期であるか否かの判定が行われる（Ｓ８）。この場合において、フリッカ周期である場合には、画像の取得を行わずにフリッカ周期ｋのカウントを行うとともに（Ｓ９）、Ｓ５に戻る。
Ｓ７において明るさＬが所定の閾値Ｔよりも大きい場合、または、Ｓ８においてフリッカ周期でない場合には、被写体の像をＣＣＤで受光し、ＡＤ変換が行われる（Ｓ１０）。
【００３０】
次に、撮像部により取得された画像データが、ＳＤＲＡＭ等の記憶手段に一時保存され（Ｓ１１）、所定の画像処理が施された後に外部メモリに転送されて記録される（Ｓ１２）。
そして、シャッタボタンの押下が解除されているか否かの判定が行われ（Ｓ１３）、解除されていない場合にはＳ５に戻り、解除されている場合には外部メモリに記録した画像データを表示部にサムネイル画像として表示し（Ｓ１４）、連写モードを終了する。
【００３１】
〔第２の実施形態〕 
次に、本発明の第２の実施形態について、図７を用いて説明する。
本実施形態に係るカメラが第１の実施形態と異なる点は、撮像部により取得された複数枚の画像の平均輝度値を算出し、該平均輝度値の周期的な変動を検出する点である。以下、本実施形態に係るカメラについて、第１の実施形態と共通する点については説明を省略し、異なる点について主に説明する。
【００３２】
露出調節部１６は、被写体の明るさを検知するＡＥセンサー１２１と、ＡＥセンサー１２１から明るさ情報を受け取り、露出設定値を決定するＡＥ部３０６とを備えている。ＡＥ部３０６は、決定した露出設定値を制御部４に出力するようになっている。なお、ＡＥ部３０６の詳細な機能については後述する。
【００３３】
画像処理装置２０は、撮像部１０７より入力された画像を一時保存するＳＤＲＡＭ１１０と、ＳＤＲＡＭ１１０に一時保存された画像を読み出して画像処理を施す画像処理部１０８と、画像処理部１０８により画像処理された画像の平均輝度値を算出する平均輝度値算出部３０１と、平均輝度値算出部３０１により算出された複数枚の画像の平均輝度値から平均輝度値の周期的な変動を検出する平均輝度値変動検出部３０４とを備えている。
【００３４】
以下に、ＡＥ部３０６の詳細な機能について図８を参照して説明する。
図８に示すように、ＡＥ部３０６は、撮像部１０７により撮影しようとする像の露出値を検出する露出検出部２０１と、露出検出部２０１により検出された露出値と予め設定された所定の閾値Ｔとを比較する露出比較部２０２と、露出比較部２０２の比較結果と平均輝度値変動検出部３０４により検出された平均輝度値の周期的な変動とに基づいて露出設定値を決定するＡＥ設定値制御部２０３とを備えている。
【００３５】
ＡＥ設定値制御部２０３は、露出比較部２０２の比較結果と平均輝度値変動検出部３０４により検出された平均輝度値の周期的な変動とに基づいて、撮影環境におけるフリッカにより平均輝度値が所定の閾値Ｔよりも小さくなる低露出周期を検出し、該低露出周期における撮像部１０７による撮影を停止させるようになっている。
【００３６】
このように構成された本実施形態に係るカメラの作用について、具体的な例を挙げて以下に説明する。
撮像装置５により取得され、ＳＤＲＡＭ１１０に一時保存された画像データは、画像処理部１０８により画像処理が施され、画像処理が行われた画像データは外部メモリ１１２に出力されて記録される。
【００３７】
この際、平均輝度値算出部３０１は、画像処理部１０８により画像処理が施された画像の中から予め設定された枚数の画像の平均輝度値を検出し、平均輝度値変動検出部３０４は、該平均輝度値の周期的な変動を検出する。このように平均輝度値変動検出部３０４により検出された平均輝度値の周期的な変動が、図９に示す曲線Ｙである。平均輝度値変動検出部３０４は、この平均輝度値の周期的な変動に基づいて、シャッタ開始から何枚目がフリッカの影響により暗い画像となるかを判定する。
【００３８】
つまり、図９の例において、平均輝度値の周期的な変動を検出するために、１０枚の画像の平均輝度値を算出した場合、３枚目および８枚目の画像において平均輝度値が最小値を取る、すなわち、フリッカの周期となることが判定される。したがって、シャッタ開始時からの撮影枚数をｉとすると、ｉ＝５ｋ−２（ｋ＝１，２，３，・・・）枚目の画像が、フリッカの影響により暗い画像であると判定される。
【００３９】
以上説明したように、本実施形態に係るカメラによれば、平均輝度値変動検出部３０４が、撮像部１０７により実際に取得された複数枚の画像の平均輝度値に基づいてフリッカを検出することにより、フリッカの検出精度を向上させることができ、より容易に所定の露出を有する画像を選別することが可能となる。
【００４０】
なお、本実施形態では、ハードウェアによる処理を前提としていたが、このような構成に限定されるものではない。例えば、別途ソフトウェアにて処理する構成も可能である。この場合、ＣＰＵ、ＲＡＭ等の主記憶装置、上記処理の全て或いは一部を実現させるためのプログラムが記録されたコンピュータ読み取り可能な記録媒体を備えていればよい。そして、ＣＰＵが上記記憶媒体に記録されているプログラムを読み出して、情報の加工・演算処理を実行することにより、上述のカメラと同様の処理を実現させることができる。ここでコンピュータ読み取り可能な記録媒体とは、磁気ディスク、光磁気ディスク、ＣＤ−ＲＯＭ、ＤＶＤ−ＲＯＭ、半導体メモリ等をいう。
【００４１】
上記のソフトウェアによる具体的な処理について、図１０および図１１に示すフローチャートに基づいて以下に説明する。
まず、図１０に示すフローチャートに基づいて、全体の処理について説明する。
連写モードにおいてフレームレートが設定され（Ｓ１０１）、ユーザによってシャッタボタンが押されると（Ｓ１０２）、撮影枚数ｉのリセットが行われる（Ｓ１０３）。そして、フリッカの周期性を判定するフラグが０とされ（Ｓ１０４）、フリッカを判定するために平均輝度値を算出する画像の枚数Ｍの設定が行われ（Ｓ１０５）、後述するフリッカ判定処理が行われる（Ｓ１０６）。
【００４２】
フリッカの判定を行う場合には（Ｓ１０７）、撮影枚数毎に撮影枚数ｉのカウントが行われ（Ｓ１０８）、ＡＥセンサーから明るさ情報を取得する（Ｓ１０９）。
次に、取得した明るさ情報よりＡＥ評価、すなわち、ＡＥセンサーにより検知した明るさＬが予め設定された所定の閾値Ｔよりも小さいか否かの判定が行われる（Ｓ１１０）。明るさＬが所定の閾値Ｔよりも小さい場合には、フリッカ周期であるか否かの判定が行われる（Ｓ１１１）。Ｓ１１１において、フリッカ周期である場合には、画像の取得を行わずに画像枚数ｋのカウントを行うとともに（Ｓ１１２）、Ｓ１０８に戻る。
Ｓ１１０において明るさＬが所定の閾値Ｔよりも大きい場合、または、Ｓ１１１においてフリッカ周期でない場合には、被写体の像をＣＣＤで受光し、ＡＤ変換が行われる（Ｓ１１３）。
【００４３】
次に、撮像部により取得された画像データが、ＳＤＲＡＭ等の記憶手段に一時保存され（Ｓ１１４）、所定の画像処理が施された後に外部メモリに転送されて記録される（Ｓ１１５）。
そして、シャッタボタンの押下が解除されているか否かの判定が行われ（Ｓ１１６）、解除されていない場合にはＳ１０７に戻り、解除されている場合には外部メモリに記録した画像データを表示部にサムネイル画像として表示し（Ｓ１１７）、連写モードを終了する。
【００４４】
次に、図１１に示すフローチャートに基づいて、フリッカの判定についての詳細な処理を説明する。
フリッカ判定が開始されると、被写体の像をＣＣＤで受光し、ＡＤ変換が行われる（Ｓ２０１）。
次に、撮像部により取得された画像データが、ＳＤＲＡＭ等の記憶手段に一時保存され（Ｓ２０２）、所定の画像処理が施された後に外部メモリに転送されて記録される（Ｓ２０３）。
【００４５】
次に、撮影枚数ｉおよびフリッカ周期ｋのカウントが行われ（Ｓ２０４）、シャッタボタンの押下が解除されているか否かの判定が行われる（Ｓ２０５）。解除されている場合にはフリッカ判定を終了し、解除されていない場合には撮影枚数ｉが平均輝度値を算出する画像の枚数Ｍに達したか否かが判定される（Ｓ２０６）。ｉがＭに達していない場合にはＳ２０１に戻り、ｉがＭに達した場合には画像の明るさによるフリッカ周期の判定が行われ（Ｓ２０７）、フリッカ判定を終了する。
【図面の簡単な説明】
【００４６】
【図１】本発明の各実施形態に係るカメラの上面図である。
【図２】図１に示すカメラの背面図である。
【図３】本発明の第１の実施形態に係るカメラが備える機能を展開して示した機能ブロック図である。
【図４】図３に示すＡＥ部の詳細を説明する図である。
【図５】図３に示すカメラにおいてフリッカの検出方法を説明する図である。
【図６】本発明の第１の実施形態に係るカメラの処理手順を示すフローチャートである。
【図７】本発明の第２の実施形態に係るカメラが備える機能を展開して示した機能ブロック図である。
【図８】図７に示すＡＥ部の詳細を説明する図である。
【図９】図７に示すカメラにおいてフリッカの検出方法を説明する図である。
【図１０】本発明の第２の実施形態に係るカメラの処理手順を示すフローチャートである。
【図１１】図１０に示すフリッカの判定処理の詳細を説明するフローチャートである。
【符号の説明】
【００４７】
１  カメラ
３  カメラ本体
４  制御部
５  撮像装置
６  露出調節部
７  シャッタ操作部
１０，２０  画像処理装置
１０６，３０６  ＡＥ部
１０８  画像処理部
１０９  表示部
１１０  ＳＤＲＡＭ
１１２  外部メモリ
２０１  露出検出部
２０２  露出比較部
２０３  ＡＥ設定値制御部
２０４  露出変動検出部
３０１  平均輝度値算出部
３０４  平均輝度値変動検出部
【図１】
2009100275.tif 000003
【図２】
2009100275.tif 000004
【図３】
2009100275.tif 000005
【図４】
2009100275.tif 000006
【図５】
2009100275.tif 000007
【図６】
2009100275.tif 000008
【図７】
2009100275.tif 000009
【図８】
2009100275.tif 000010
【図９】
2009100275.tif 000011
【図１０】
2009100275.tif 000012
【図１１】
2009100275.tif 000013